(57)【要約】【課題】複数種別の観点情報を考慮してアイデアを具体化して行く作業を支援する設計支援装置を提供する。【解決手段】  この発明の設計支援装置は、読込部１０と、コマ割データベース２０と、割付部３０と、出力部４０と、を具備する。読込部１０は、ストーリーボードのコマ数と、当該コマに割付けられるアイデアを検討する観点を表す観点情報とを読み込む。コマ割データベース２０は、ストーリーボードのコマの数と、当該コマに割付けられるアイデアを検討する観点を表す観点種別と、の組から成るコマ割テンプレート情報を記録する。割付部は、コマ割データベースを参照してコマに観点情報の内容を割付ける。出力部は、コマに上記観点情報の内容を割付けたコマ割結果を出力する。【選択図】図１
2015219677.tif 000002
【特許請求の範囲】
【請求項１】
ストーリーボードのコマ数と、当該コマに割付けられるアイデアを検討する観点を表す観点情報とを、読み込む読込部と、
上記コマ数と観点種別との組みから成るコマ割テンプレート情報を記憶したコマ割データベースと、
上記コマ割データベースを参照して上記コマに上記観点種別の内容を割付ける割付部と、
上記コマに上記観点種別の内容を割付けたコマ割結果を出力する出力部と、
を具備する設計支援装置。
【請求項２】
請求項１に記載した設計支援装置において、
上記読込部は、上記観点情報の優先度を読み込み、
上記割付部は、上記優先度の高い観点情報を割付け可能な上記コマ割テンプレート情報を選択し、上記優先度の高い上記観点情報を優先的に読み込んで、上記コマに当該観点情報の内容を割付けること、
を特徴とする設計支援装置。
【請求項３】
請求項１に記載した設計支援装置において、
上記読込部は、上記観点情報の間の関連性を表す関連情報を読み込み、
上記割付部は、上記関連性のある観点種別を読み込んで、上記コマに当該観点種別の内容を割付ける、
ことを特徴とする設計支援装置。
【請求項４】
請求項２に記載した設計支援装置において、
上記読込部は、上記観点情報の間の関連性を表す関連情報を読み込み、
上記割付部は、上記関連性のある観点情報を割付け可能な上記コマ割テンプレート情報を選択し、上記関連性のある上記観点種別を読み込んで、上記コマに当該観点種別の内容を割付ける、
ことを特徴とする設計支援装置。
【請求項５】
請求項１乃至４の何れかに記載した設計支援装置において、
上記出力部は、複数の上記コマ割結果を出力し、
複数の上記コマ割結果の中から少なくとも１つのコマ割結果を、選択指示を受け付け、当該選択指示に基づいて選択された上記コマ割結果を選択する選択部を更に具備すること、
を特徴とする設計支援装置。
【請求項６】
請求項１乃至５の何れかに記載した設計支援装置において、
上記コマ割結果とコマに対応する画像情報とを入力として、ストーリーボードを出力するストーリーボード作成部を更に具備する、
ことを特徴とする設計支援装置。
【請求項７】
請求項１乃至６の何れかに記載した設計支援装置として、コンピュータを機能させるための設計支援プログラム。
【発明の詳細な説明】
【技術分野】
【０００１】
本発明は、アイデアを具体化して行く作業を支援する設計支援装置と設計支援プログラムに関する。
【背景技術】
【０００２】
設計者や企画者が、サービスや製品のアイデアを具体化するためには、サービスや製品のターゲットユーザからフィードバックを得ることを繰り返して行うことで、アイデアを洗練させることが重要である。しかし、この繰り返しの作業には多くの時間と労力が必要である。
【０００３】
そこで、アイデアをブラッシュアップする目的で、ストーリーボードと称されるイラストと簡単な説明文（コマ）を並べることでサービスや製品の利用方法を時系列で記述する手法がある。
【０００４】
そのストーリーボードを効率良く生成する装置が、例えば非特許文献１に開示されている。また、人の行動データやコメントを用いて、その行動データに合うイラスト群を自動的に生成する方法が、例えば非特許文献２に開示されている。
【先行技術文献】
【非特許文献】
【０００５】
【非特許文献１】James A. Landay, Brad A. Myers “Interactive Sketching for Early Stages of User Interface Design” CHI’95 MOSAIC OF CREATIVITY p43〜50,May 7-11 1995.
【非特許文献２】坂本竜基ほか、「コミックダイアリ：漫画表現を利用した経験や興味の伝達支援」、情報処理学会論文誌,Vol. 43, No.12, Dec. 2002.
【発明の概要】
【発明が解決しようとする課題】
【０００６】
アイデアを具体化し、ユーザからのフィードバックを得てアイデアを洗練させるためには、アイデアを複数の観点から検討することが必要である。観点を表す観点情報としては、例えば、背景：サービスや製品がどのような状況を鑑みて作られたものなのか、コンセプト：その状況に対してどのような価値を提供するのか、実現手段：そのコンセプトを実現するために具体的にどのような実現手段を用いるのか、といった種別が考えられる。これらの観点情報が、ストーリーボードの限られたコマのそれぞれに、表現されている必要がある。
【０００７】
しかし、非特許文献１に記載された装置では、ストーリーボード内のイラストの作成が効率化されるだけであって、ストーリーボードの各コマにどのような観点情報を埋め込めば良いか考慮されていない。また、非特許文献２に記載された方法では、そもそも観点情報が考慮されていないので、複数種別の観点情報を考慮したストーリーボードのコマ割をすることが出来ない。
【０００８】
この発明は、このような課題に鑑みてなされたものであり、複数種別の観点情報を考慮してアイデアを具体化して行く作業を支援する設計支援装置と、設計支援プログラムを提供することを目的とする。
【課題を解決するための手段】
【０００９】
本発明は設計支援装置であって、ストーリーボードのコマ数と、当該コマに割付けられるアイデアを検討する観点を表す観点情報とを読み込む読込部と、上記コマ数と観点種別との組みから成るコマ割テンプレート情報を記憶したコマ割データベースと、上記コマ割データベースを参照して上記コマに上記観点種別の内容を割付ける割付部と、上記コマに上記観点種別の内容を割付けたコマ割結果を出力する出力部と、を具備する。
【００１０】
また、本発明の設計支援プログラムは、上記した設計支援装置としてコンピュータを機能させるようにしたものである。
【発明の効果】
【００１１】
本発明によれば、サービスや製品のアイデアを具体化する作業を、効率化することが出来る。
【図面の簡単な説明】
【００１２】
【図１】本発明の第１の実施形態の設計支援装置１００の機能構成例を示す図。
【図２】観点情報の例を示す図。
【図３】コマ割データベース１０に記憶されるコマ割テンプレート情報の例を示す図。
【図４】割付部３０のコマ割テンプレート情報を選択するまでの動作フローを示す図。
【図５】割付部３０のコマ割テンプレート情報を選択した後の動作フローを示す図。
【図６】コマ割結果の一例を示す図。
【図７】増やすべき観点種別を提示したコマ割結果の例を示す図。
【図８】本発明の第２の実施形態の設計支援装置２００の機能構成例を示す図。
【図９】優先度を含む観点情報の例を示す図。
【図１０】割付部２３０のコマ割テンプレート情報を選択した後の動作フローを示す図。
【図１１】図１０のステップＳ９１のより具体的な動作フローを示す図。
【図１２】本発明の第３の実施形態の設計支援装置３００の機能構成例を示す図。
【図１３】コマ割結果の一例を示す図。
【図１４】本発明の第４の実施形態の設計支援装置４００の機能構成例を示す図。
【図１５】設計支援装置４００が出力するストーリーボードの一例を示す図。
【発明を実施するための形態】
【００１３】
以下、この発明の実施の形態を図面を参照して説明する。複数の図面中同一のものには
同じ参照符号を付し、説明は繰り返さない。
【００１４】
〔第１の実施形態〕
図１に、第１の実施形態の設計支援装置１００の機能構成例を示す。設計支援装置１００は、読込部１０と、コマ割データベース２０と、割付部３０と、出力部４０と、を具備する。
【００１５】
読込部１０は、ストーリーボードのコマ数と、当該コマに割付けられるアイデアを検討する観点を表す観点情報とを、読み込む。コマ割データベース２０は、コマ数と観点種別の組みから成るコマ割テンプレート情報を記憶する。割付部３０は、コマ割データベース２０を参照してコマに観点種別の内容を割付ける。出力部４０は、コマに観点種別の内容を割付けたコマ割結果を出力する。コマとは、例えばプレゼンテーションに用いる一単位（ページ）のことである。コマ割結果は、例えばディスプレイを用いて利用者に表示される。
【００１６】
設計支援装置１００は、例えばＲＯＭ、ＲＡＭ、ＣＰＵ等で構成されるコンピュータに所定のプログラムが読み込まれて、ＣＰＵがそのプログラムを実行することで実現されるものである。以降に説明する他の実施形態についても同様である。
【００１７】
図２に、観点情報の例を示す。図２の１列目は、観点情報の種類を表す観点種別であり、２列目は観点種別の内容である。観点種別の「背景」の内容は、例えば「コールセンタに電話を掛けようとしても、どこに掛ければ良いかよく分からないことがある。そして、掛けたとしても、たらい回しにされたりする」等である。このように観点情報は、観点種別とその内容とで構成される。ここに例示したのは一例であり、観点種別としては、例えば他にも、「売上」「予算」、「納期」、「人工」、…、など多数の観点種別が考えられる。
【００１８】
コマ数は、ストーリーボードのコマの数であり、例えばコマ数が４個であれば数値情報の「４」として設計支援装置１００に入力される。
【００１９】
図３に、コマ割データベース１０に保持されるコマ割テンプレート情報の例を示す。図３の１列目は、コマ割テンプレート情報の識別子であるＩＤ、２列目はコマ数、３列目は各コマに割付ける観点種別、を表す。１行目の各コマに割付ける観点種別は、１コマ目が「背景」、２コマ目が「コンセプト」、３コマ目が「実現手段」、であることを表している。なお、図３に示したコマ割データベースは、テーブル形式の例で示したが、これらの情報を保持できるものでれば、その書式はどのようなものであっても良い。
【００２０】
コマ割データベース１０は、コマ数、観点種別、観点情報、を熟達した設計者に与え、設計者がどのようにコマ割を作成するかを記録していき、その中から頻繁に利用されるコマ割パターンを、データベース化することで実現できる。
【００２１】
〔コマ数と観点種別の数が等しい場合〕
外部から入力されるコマ数と観点種別の数が等しい場合の、設計支援装置１００の動作を説明する。読込部１０は、外部から入力されるコマ数と観点情報（図２）とを読み込む。割付部３０は、読込部１０が読み込んだコマ数と観点情報を元に、コマ割データベース２０を参照して当該観点情報を割付けるコマ割テンプレート情報を選択し、コマ割テンプレート情報のコマの観点種別に対応する観点種別の内容を、コマに割付ける。
図４に、設計支援装置１００の割付部３０が、コマ割テンプレート情報を選択するまでの動作フローを示す。図２（観点情報）と図３（コマ割テンプレート情報）と図４とを参照して、コマ割テンプレート情報を選択するまでの動作を、コマ数を３とした例で説明する。
【００２２】
割付部３０は、コマ数３が入力されると、コマ割データベース２０を参照して、コマ数が３のＩＤ＝ＡとＩＤ＝Ｂの２つのコマ割テンプレート情報を、選択対象として絞り込む（ステップＳ１０）。そして、絞り込んだコマ割テンプレート情報のＩＤ＝Ａのコマ割テンプレート情報を読み込む（ステップＳ２０）。
【００２３】
次に、コマ割テンプレート情報（ＩＤ＝Ａ）と、入力された観点情報の観点種別（図２）とを比較して、その結果をコマ割候補として記録する（ステップＳ３０）。ＩＤ＝Ａのコマに割付ける観点種別は、「背景」、「コンセプト」、「実現手段」である。観点情報の観点種別は、「背景」、「コンセプト」、「実現手段」であるので一致数は「３」である。ここでは最初の一致点の検出であるので、他の比較対象が無い。よって、ステップＳ４０のｙｅｓを経て、コマ割テンプレート情報（ＩＤ＝Ａ）をコマ割候補として登録する（ステップＳ５０）。
【００２４】
次に、他の絞り込み結果がある（ステップＳ６０のｙｅｓ）ので、他のコマ割テンプレート情報を読み込む。この例では他の候補としてＩＤ＝Ｂのコマ割テンプレート情報が絞り込まれているので、ＩＤ＝Ｂのコマ割テンプレート情報を読み込む（ステップＳ２０）。ＩＤ＝Ｂのコマに割付ける観点種別は、「背景」、「コンセプト＆実現手段」、「ユーザゴール」である。観点情報の観点種別は、先ほどと同様の、「背景」、「コンセプト」、「実現手段」であるので一致数は、「背景」の「１」である。
【００２５】
一致数の「１」は、ＩＤ＝Ａのコマ割テンプレート情報の一致数「３」よりも少ないので、ステップＳ４０は再びｎｏのルートを経る。他の絞り込み候補は無い（ステップＳ６０のｎｏ）ので、一致数の最も多いＩＤ＝Ａのコマ割テンプレート情報を選択する（ステップＳ７０）。
【００２６】
図５に、コマ割テンプレート情報を選択した後の割付部３０の動作フローを示す。図２と図３と図５とを参照して、コマ割テンプレート情報を取得した後の割付部３０の動作を説明する。
【００２７】
割付部３０は、この例ではＩＤ＝Ａのコマ割テンプレート情報を入力とする。最初は、未読込の観点情報があるので（ステップＳ８０のｙｅｓ）、１コマ目の観点種別の「背景」の観点種別の内容を読み込む（ステップＳ９０）。ここでは、コマ数３で、最初のコマなので当該コマを、観点種別の「背景」の観点種別の内容を割付けるコマとして読み込む（ステップＳ１１０）。
【００２８】
最初の観点情報の割付けであるので（ステップＳ１２０はｙｅｓ）、１コマ目に、ステップＳ９０で読み込んだ「コールセンタに電話を掛けようとしても、どこに掛ければ良いか分からないことがある。そして、掛けたとしても、たらい回しにされたりする。」の観点種別の内容を割付ける（ステップＳ１３０）。観点種別の内容を割付けた後は、ステップＳ８０に戻る。
【００２９】
未読込の観点情報はまだ有るので（ステップＳ８０のｙｅｓ）、未読込の２行目（図２）の観点情報を読み込む（ステップＳ９０）。２行目の観点情報の観点種別は「背景」なので、当該観点種別に対応するコマはあり（ステップＳ１００のｙｅｓ）。よって、ステップＳ１３０で、観点種別「背景」の観点種別の内容を割付けたコマを読み込む（ステップＳ１１０）。
【００３０】
次に、１コマへの観点情報の割付可能数（ｎ個：ｎ＞１）を超えていないかを確認する（ステップＳ１２０）。割付可能数のｎ個を、例えば２とする。割付可能数のｎ個は、予めコマ割データベース２０に設定しておいても良いし、外部から入力するようにしても良い。
【００３１】
ここでは観点種別「背景」の２個目の観点情報であるので（ステップＳ１２０のｙｅｓ）、ステップＳ９０で読み込んだ「色々と不満に思うことはあるものの、わざわざ連絡するのも面倒なので、コールセンタに掛けることはほとんどない。」の観点種別の内容を、１コマ目に割付ける（ステップＳ１３０）。
【００３２】
ステップＳ１２０において、観点情報の割付可能数を超えてしまった場合は、当該観点情報を、溢れた観点情報として記録する（ステップＳ１４０）。この溢れた観点情報は、利用者に割付けできなかった観点情報として通知しても良いし、コマを増やして増やしたコマに割付けるようにしても良い。コマを増やして割付ける動作については後述する。
【００３３】
以上の動作は、未読込の観点情報が無くなるまで繰り返される。割付部３０は、溢れた観点情報が無く（ステップＳ１５０のｎｏ）、観点情報が割付けられていないコマ（空のコマ）が無くなると（ステップＳ１６０のｎｏ）、割付け動作を終了する。
【００３４】
空きコマが有る場合（ステップＳ１６０のｙｅｓ）、どのような観点種別の観点情報を入力として増やすとコマ割として成立するかを、コマ割の観点種別の配列をもとに利用者に提示する（ステップＳ２００）。この時、図７に示すように観点種別の他に、想定される何らかの処置を表す一文、例えば「これにより、ユーザにどのように嬉しくなるかをこのコマで表現してください。」を予め用意して置き、当該一文を追記するようにしても良い。なお、このステップＳ２００は無くても良い。つまり、空きコマのある状態で割付動作を終了するようにしても良い。
【００３５】
以上説明したようにコマ割テンプレート情報をＩＤ＝Ａ、観点情報を図２に示した例とすると、出力部４０は、図６に示すコマ割結果を出力する。１コマ目は「背景」、２コマ目は「コンセプト」、３コマ目は「実現手段」、として各コマに２つの観点種別の内容がそれぞれ割付けられている。
【００３６】
コマ割のコマ数が、入力として与えられた観点種別の数よりも少ない場合、割付部３０は、１つのコマに入力として与えられた観点種別の内容を複数含むようにすることで、可能な限り、入力として与えられたある観点種別の内容がコマに含まれるように割付を行う。
【００３７】
割付可能数のｎ個を大きな数にすることで、１コマに多くの観点種別の内容を割付けることが可能である。しかし、１コマに割付け可能な観点種別の内容の数には限りがあり、観点種別の内容が溢れてしまう場合がある。
【００３８】
観点種別の内容が溢れてしまった場合の動作を説明する。溢れてしまった観点種別の内容がある場合とは、割付けされていない観点情報がある状態である（ステップＳ１５０のｙｅｓ）。この状態においては、溢れた観点情報の観点種別と同一の観点種別で割付可能なコマが有るのか否かを確認する（ステップＳ１７０）。
【００３９】
割付可能なコマが無い場合（ステップＳ１７０のｎｏ）、その同じ観点種別の観点情報が割付けられたコマの次にコマを挿入して、溢れた観点情報を割付ける、割付が無かったコマがあればそのコマは削除する（ステップＳ１９０）。
【００４０】
同じ観点種別が割付けられた割付可能なコマが有る場合（ステップＳ１７０のｙｅｓ）、当該同一観点種別のコマに、溢れた観点種別の内容を割付ける（ステップＳ１８０）。
【００４１】
以上説明したように割付けられたコマ割結果は、出力部４０によって出力される。このように、第１の実施形態の設計支援装置１００によれば、コマ数と観点情報の入力のみで、サービスや製品のアイデアを具体化する作業を、効率化することが出来る。
【００４２】
〔第２の実施形態〕
第２の実施形態の設計支援装置２００は、優先度の高い観点情報を優先的に読み込むようにしたものである。図８に、設計支援装置２００の機能構成例を示す。設計支援装置２００は、読込部２１０と、割込部２３０と、を具備する点で、設計支援装置１００（図１）と異なる。
【００４３】
読込部２１０は、ストーリーボードのコマ数と、当該コマに割付けられるアイデアを検討する観点を表す観点情報と、更に、上記観点情報の優先度も入力とする。割付部２３０は、優先度の高い観点情報を割付け可能なコマ割テンプレート情報を選択し、優先度の高い観点情報を優先的に読み込んで、コマに当該観点情報を割付ける。
【００４４】
図９に、優先度が記載された観点情報の例を示す。図９の１列目が優先度であり、数値の大きい方が、高い優先度を表す。２列目の関連情報については後述する。
【００４５】
図１０に、割付部２３０の動作フローを示す。設計支援装置１００の割付部３０との違いは、ステップＳ９１の観点情報の読込ステップが、優先度の高い観点情報を優先的に読み込む点のみである。図９に例示した観点情報の場合は、優先度が最も高い「２」の観点種別「背景」が最初に読み込まれ、優先度「１」の「背景」は次に読み込まれる。または、最も優先度の高い観点種別の観点情報のみを読み込むようにしても良い。つまり、優先度の低い観点情報は除外されるようにしても良い。このように、優先度を用いることで、特定の観点情報を、優先的に割付け対象の観点情報とすることが出来る。
【００４６】
〔変形例〕
更に、観点情報の間の関連性を表す関連情報も入力とする第２の実施形態の変形例も考えられる。第２の実施形態の変形例は、関連性のある観点種別の観点情報を読み込むようにしたものである。
【００４７】
割付部２３０′は、関連性のある観点種別を読み込んで、コマに当該観点情報を割付ける。割付部２３０′の動作フローは、観点情報を読み込むステップＳ９１の処理が、関連性を考慮して観点情報を読み込む点でのみ異なる。
【００４８】
図１１に、ステップＳ９１のより具体的な動作フローを示す。図１１を参照して、関連性を考慮して観点情報を読み込む動作を説明する。
【００４９】
割付部２３０は、観点情報を読み込む（ステップＳ９１０）。観点情報の読み込みは、例えばその記載順に読み込む。図９に示す観点情報の例の場合には、１行目の観点種別「背景」とその観点種別の内容とを読み込む。そして、全ての優先度と関連とを確認する。１行目の観点情報の優先度は「２」で、他の観点情報より高いので（ステップＳ９１２のｙｅｓ）、１行目の観点情報を、観点種別「背景」の割付け対象の観点情報として仮登録する（ステップＳ９１３）。
【００５０】
他の観点情報が有る（ステップＳ９１４のｙｅｓ）ので、２行目の観点情報を読み込む、２行目の優先度は１行目の優先度より低いので（ステップＳ９１２のｎｏ）、２行目の観点情報が１行目の観点情報と関連性があるのか否かを評価する（ステップＳ９１５）。１行目の関連情報の「ａ」に対して２行目の関連情報は「ｂ」であるので、関連性なし（ステップＳ９１５のｎｏ）として次の３行目の観点情報を読み込む。２行目の観点種別「背景」の観点情報は、割付け対象の観点情報から除外される。
【００５１】
３行目の観点情報の優先度は「１」であり、同じ観点種別の他の観点情報の優先度以上か否かを評価する。３行目の観点情報の優先度は、同じ観点種別の他の観点情報以上なので、観点種別「コンセプト」の割付け対象の観点情報として仮登録する（ステップＳ９１３）。
【００５２】
４行目の観点情報の関連情報は「ｂ」であるので、関連性なしとして観点種別「コンセプト」の割付け対象の観点情報から除外される（ステップＳ９１５のｎｏ）。５行目の観点情報の関連情報は「ａ」であるので、観点種別「実現手段」の割付け対象の観点情報として仮登録する。６行目の観点情報の関連情報は「ｂ」であるので、関連性なしとして観点種別「実現手段」の割付け対象の観点情報から除外される（ステップＳ９１５のｎｏ）。
【００５３】
このように、更に関連情報を用いることで、関連する観点情報のみを選択して割付け対象の観点情報とすることができる。その結果、優先度のみを用いた場合よりも観点情報の割付の自由度を高めることが出来る。なお、関連情報は、優先度と組み合わせる実施形態に限定されない。関連情報を単独で用いるようにしても良い。その場合は、関連情報が同じ観点種別と観点情報とを、読み込んでコマに割付ける。関連情報のみを用いた割付部の、フローチャートを参照した動作説明は省略する。
【００５４】
〔第３の実施形態〕
図１２に、第３の実施形態の設計支援装置３００の機能構成例を示す。設計支援装置３００は、読込部１０と、コマ割データベース２０と、割付部３０と、出力部３４０と、選択部３５０と、を具備する。読込部１０とコマ割データベース２０と割付部３０とは、参照符号から明らかなように設計支援装置１００と同じものである。
【００５５】
出力部３４０は、割付部３０が出力する複数のコマ割結果を、出力する。複数のコマ割結果は、例えば表示装置に表示される。又は、プリンター等で紙媒体として出力される。選択部３５０は、複数のコマ割結果を、選択する選択指示を受け付け、当該選択指示に基づいて複数のコマ割結果を選択する。
【００５６】
出力部３４０は、例えば、図７に示したコマ割結果と、図１３に示すコマ割結果の、両方を例えば表示装置に一度表示した後に、選択部３５０で選択されたコマ割結果のみを出力する。図１３に示す例は、ＩＤ＝Ｄのコマ割テンプレート情報に基づいて割付けたコマ割結果である。
【００５７】
このように、第３の実施形態の設計支援装置３００によれば、複数のコマ割結果を選択肢として利用者に提供すると共に、ユーザが任意のコマ割結果を選択することが出来るので、設計支援装置の出力するコマ割結果の自由度を高める効果を奏する。
【００５８】
〔第４の実施形態〕
図１４に、第４の実施形態の設計支援装置４００の機能構成例を示す。設計支援装置４００は、設計支援装置１００に、ストーリーボード作成部４６０の構成を追加したものである。
【００５９】
ストーリーボード作成部４６０は、設計支援装置１００が出力するコマ割結果と、コマに対応する画像情報とを入力として、ストーリーボードを出力する。ストーリーボード作成部４６０は、例えばディジタルカメラやスキャナー等のインターフェースを用いて画像情報を取得し、利用者のユーザ操作に基づいてコマ割結果と画像とを組み合わせてストーリーボードを作成する。
【００６０】
図１５に、設計支援装置４００が出力するストーリーボードの例を示す。設計支援装置４００によれば、画像と観点情報とが組み合わさったコマによるストーリーボードを出力するので、アイデアをより分かり易く第三者に提示することが可能である。
【００６１】
以上説明したように第１の実施形態の設計支援装置１００によれば、コマ数と観点情報の入力のみで、サービスや製品のアイデアを具体化する作業を、効率化することが出来る。
【００６２】
また、第２の実施形態の設計支援装置２００によれば、優先度を用いることで、特定の観点情報を、優先的に割付け対象の観点情報とすることが出来る。また、設計支援装置２００の変形例によれば、関連情報を用いることで、関連する観点情報のみを選択して割付け対象の観点情報とすることができ、観点情報の割付の自由度を高めることが出来る。
【００６３】
また、第３の実施形態の設計支援装置３００によれば、複数のコマ割結果を選択肢として利用者に提供すると共に、任意のコマ割結果を選択可能とすることで、設計支援装置の自由度を高めることが出来る。なお、設計支援装置３００の考えは、設計支援装置１００，２００、設計支援装置２００の変形例、の何れに適用しても、設計支援装置３００と同様の効果を奏する設計支援装置を実現することが出来る。
【００６４】
また、第４の実施形態の設計支援装置４００によれば、ストーリーボードを出力するので、アイデアをより分かり易く第三者に提示することが出来る。なお、設計支援装置４００の考えも、設計支援装置１００，２００、設計支援装置２００の変形例、設計支援装置３００、の何れに適用しても良い。このように本願発明は、上記した実施形態に限定されるものではなく、その要旨の範囲内で数々の変形が可能である。
【００６５】
上記装置における処理部をコンピュータによって実現する場合、各装置が有すべき機能の処理内容はプログラムによって記述される。そして、このプログラムをコンピュータで実行することにより、各装置における処理部がコンピュータ上で実現される。
【００６６】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記録装置に格納しておき、ネットワークを介して、サーバコンピュータから他のコンピュータにそのプログラムを転送することにより、このプログラムを流通させる構成としても良い。
【００６７】
また、各手段は、コンピュータ上で所定のプログラムを実行させることにより構成することにしてもよいし、これらの処理内容の少なくとも一部をハードウェア的に実現することとしても良い。
【符号の説明】
【００６８】
１０  ：読込部
２０  ：コマ割データベース
３０，２３０  ：割付部
４０，３４０  ：出力部
３５０：選択部
４６０：ストーリーボード作成部
１００，２００，３００，４００：設計支援装置
【図１】
2015219677.tif 000003
【図２】
2015219677.tif 000004
【図３】
2015219677.tif 000005
【図４】
2015219677.tif 000006
【図５】
2015219677.tif 000007
【図６】
2015219677.tif 000008
【図７】
2015219677.tif 000009
【図８】
2015219677.tif 000010
【図９】
2015219677.tif 000011
【図１０】
2015219677.tif 000012
【図１１】
2015219677.tif 000013
【図１２】
2015219677.tif 000014
【図１３】
2015219677.tif 000015
【図１４】
2015219677.tif 000016
【図１５】
2015219677.tif 000017